(57)【要約】【課題】部品の点数を減少することができ、組立・分解作業を迅速に完成することができる展示棚を提供する。【解決手段】バックプレート１０と、二つのサイドプレート２０と、を含む展示棚において、バックプレート１０には、第１定位部１３が設けられ、二つのサイドプレート２０は、バックプレート１０の両端にそれぞれ設けられ、バックプレート１０に対して第１動作で動作可能であり、その間には、二つのサイドプレート２０を連接し二つのサイドプレート２０に対して第２動作で動作可能である受け板２１が設けられ、受け板２１は、第１定位部１３に対応する第２定位部２４を有し、二つのサイドプレート２０がバックプレート１０に対して第１動作で動作した後、受け板２１が動作しているうちに、第１定位部１３と第２定位部２４の係合により受け板２１が固定される。【選択図】図２
0003156851.tif 000002
【実用新案登録請求の範囲】
【請求項１】
バックプレート（１０）と、二つのサイドプレート（２０）と、を含む展示棚において、
前記バックプレート（１０）には、第１定位部（１３）が設けられ、
前記二つのサイドプレート（２０）は、前記バックプレート（１０）の両端にそれぞれ設けられ、前記バックプレート（１０）に対して第１動作で開閉可能であり、その間には、前記二つのサイドプレート（２０）を連結し前記二つのサイドプレート（２０）に対して第２動作で回動可能である受け板（２１）が設けられ、
前記受け板（２１）は、前記第１定位部（１３）に対応する第２定位部（２４）を有し、前記二つのサイドプレート（２０）が前記バックプレート（１０）に対して第１動作で展開した後、前記受け板（２１）が回動して、前記第１定位部（１３）と前記第２定位部（２４）が係合することにより前記受け板（２１）が固定されることを特徴とする展示棚。
【請求項２】
前記バックプレート（１０）は複数の小板（１１）を含み、互いに隣接する前記小板（１１）の間には、前記受け板（２１）を挿入可能な隙間が形成され、前記隙間により前記受け板（２１）が固定されることを特徴とする、請求項１に記載の展示棚。
【請求項３】
互いに隣接する前記小板（１１）は、前後に階段状に配置されることを特徴とする、請求項２に記載の展示棚。
【請求項４】
前記バックプレート（１０）の両端には、前記二つのサイドプレート（２０）と連結する接合部（１２）がそれぞれ設けられ、これにより、前記二つのサイドプレート（２０）の第１動作が可能となることを特徴とする、請求項１に記載の展示棚。
【請求項５】
前記受け板（２１）は、前記二つのサイドプレート（２０）を連結する連結部（２２）と、前記連結部（２２）に対して設けられて動作が可能な受け部（２３）と、を含むことを特徴とする、請求項１に記載の展示棚。
【考案の詳細な説明】
【技術分野】
【０００１】
本考案は、展示棚に関し、特に、迅速に組立てることができ商品を展示可能な展示棚に関するものである。
【背景技術】
【０００２】
販売店では、各種類の商品を分類し展示可能にするために、商品を展示棚に展示することが一般である。従来の展示棚は、木製または鉄製の枠の周囲に木製または紙製のプレートを固定するが、このような作製方法によれば、製造コストが増加する。また、展示する商品の種類が変更になる場合には、枠と、枠の周囲に固定されたプレートとに取り付けられた商品案内表示も変更することが必要であるので、極めて不便であった。一方、従来の展示棚は、展示棚の体積が固定であり、重量が重いため、運搬と収納が極めて不便であった。
【０００３】
上記の問題を解決するために、紙製の素材で展示棚を製造するものが提案されている。例えば特許文献１の台湾特許第５４９０６１号公報では、展示棚の台座とレイヤ台の固定構造が改良されている。すなわち、台座の各層の水平受け部の両側に固定部が一つ設けられ、また、台座の各層の垂直受け部に挿入部が複数設けられ、前記レイヤ台の前記水平受け部には、前記固定部を挿入可能な挿入部が設けられており、前記レイヤ台の前記垂直受け部には、前記台座の挿入部を挿入可能な挿入部が設けられている。このような構造により、この展示棚の結合が更に強固になる。また、特許文献２の台湾特許第５３３８２４号公報では、展示棚の受け構造が改良されている。すなわち、受け枠にレイヤ台を設けることにより載せユニットが形成され、枠の内部の予定位置に前記載せユニットを設けて、前記レイヤ台と前記受け枠と前記枠との組付を最適化にすることにより、展示棚は、部品の脱着が容易になり、構造が強固になる。
【先行技術文献】
【特許文献】
【０００４】
【特許文献１】台湾特許第５４９０６１号公報
【特許文献２】台湾特許第５３３８２４号公報
【考案の概要】
【考案が解決しようとする課題】
【０００５】
しかしながら、上記の展示棚によれば、部品の点数が多すぎるので、組立・分解作業が煩雑になる欠点があった。
【０００６】
本考案の主な目的は、部品の点数を減少することができ、組立・分解作業が容易になる展示棚を提供することにある。
【課題を解決するための手段】
【０００７】
本考案の展示棚によると、バックプレートと、二つのサイドプレートと、を含む展示棚において、前記バックプレートには、第１定位部が設けられ、前記二つのサイドプレートは、前記バックプレートの両端にそれぞれ設けられ、前記バックプレートに対して第１動作で開閉可能であり、その間には、前記二つのサイドプレートを連結し前記二つのサイドプレートに対して第２動作で回動可能である受け板が設けられ、前記受け板は、前記第１定位部に対応する第２定位部を有し、前記二つのサイドプレートが前記バックプレートに対して第１動作で展開した後、前記受け板が回動して、前記第１定位部と前記第２定位部が係合することにより前記受け板が固定されることを特徴とする。
【０００８】
本考案の展示棚によると、前記バックプレートは複数の小板を含み、互いに隣接する前記小板の間には、前記受け板を挿入可能な隙間が形成され、前記隙間により前記受け板が固定されることを特徴とする。
【０００９】
本考案の展示棚によると、互いに隣接する前記小板は前後に階段状に配置されることを特徴とする。
【００１０】
本考案の展示棚によると、前記バックプレートの両端には、前記二つのサイドプレートと連結する接合部がそれぞれ設けられ、これにより、前記二つのサイドプレートの第１動作が可能となることを特徴とする。
【００１１】
本考案の展示棚によると、前記受け板は、前記二つのサイドプレートを連結する連結部と、前記連結部に対して設けられて第２動作が可能な受け部と、を含むことを特徴とする。
【考案の効果】
【００１２】
本考案の展示棚によれば、部品の点数を減少することができ、組立・分解作業を迅速に完成することができるという効果を有する。
【図面の簡単な説明】
【００１３】
【図１】本考案の一実施形態の展示棚の分解斜視図である。
【図２】本考案の一実施形態の展示棚の分解斜視図である。
【図３】Ａ乃至Ｃは本考案の一実施形態の展示棚の組合せ方法を示す模式図である。
【考案を実施するための最良の形態】
【００１４】
以下、本考案の実施の形態を図面に基づいて説明する。
まず、図１を参照する。本考案の一実施形態の展示棚は、販売店の商品展示に適用することができる。バックプレート１０と、バックプレート１０の両側に設けられる少なくとも左右側部二つのサイドプレート２０と、を有する。二つのサイドプレート２０の間には、商品を展示する受け板２１が複数設けられ、複数の受け板２１の間には、受け板２１の受けスペースを分割する仕切板４０を設けてもよい。バックプレート１０の上端に表面板３０が設けられ、表面板３０はバックプレート１０を固定する固定部３１を有し、表面板３０は、商品情報や広告などを表示することができる。
【００１５】
図２を参照しながら本考案の展示棚の構造を説明する。バックプレート１０は複数の小板１１を含み、隣接する小板１１の間には、受け板２１を挿入可能な隙間が形成され、前記隙間により受け板２１が固定される。互いに隣接する小板１１同士は前後に階段状に配置される。バックプレート１０の両端には、二つのサイドプレート２０と、例えば接着方式で連結する接合部１２がそれぞれ設けられる。これにより、二つのサイドプレート２０の第１動作が可能とされる。受け板２１は、二つのサイドプレート２０を連結する連結部２２と、連結部２２に対して設けられて第２動作が可能な受け部２３と、を有する。受け板２１は、第１定位部１３に挿入する第２定位部２４を有する。二つのサイドプレート２０がバックプレート１０に対して第１動作をして、サイドプレート２０とバックプレート１０とがほぼ直交するまで展開動作した後、受け板２１が第２動作をして、受け部２３がほぼ水平になるまで動作することによって、第１定位部１３と第２定位部２４が係合することにより受け板２１が固定される。本実施形態では、第１定位部１３と第２定位部２４は、互いに係合可能な切り欠形状および凸形状であり、バックプレート１０の小板１１の端部に設けられた第１定位部１３と、受け板２１の端部に設けられた第２定位部２４を係合することにより、受け板２１が固定される。隣接する小板１１が階段状に配置されていることにより、受け板２１は、第２動作で回動すると、上下二つの小板１１の間に形成される隙間に挿入し、受け板２１の第２定位部２４は受け板２１の上方にある小板１１の第１定位部１３と係合し、また、受け板２１の第２定位部２４側の下面端部が受け板２１の下方にある小板１１の上端部に載ることにより支持される。
【００１６】
次に、図３のＡ乃至Ｃを参照しながら本考案の使用方法を説明する。まず、二つのサイドプレート２０をバックプレート１０に対して第１動作させて、サイドプレート２０とバックプレート１０とがほぼ直交するまで展開動作させる。受け板２１を二つのサイドプレート２０に対して第２動作させて回動させる。第１動作と第２動作によってバックプレート１０の第１定位部１３（図２参照）と受け板２１の第２定位部２４を係合させることにより、図３Ｂに示すように、全体の組立状態が固定される。また、図３Ｃに示すように、任意で表面板３０と仕切板４０を取り付けてもよい。また、受け板２１の受け部２３の両端に押付部２５が設けられており、押付部２５が左右側部の二つのサイドプレート２０を押圧するので、受け板２１が支持される。本考案の展示棚を収納したいときには、まず、受け板２１について第２動作を逆に行って上方向に回動し、バックプレート１０の第１定位部１３と受け板２１の第２定位部２４の係合を解除する。また、サイドプレート２０について第１動作を逆に行うと、バックプレート１０と二つのサイドプレート２０と受け板２１を折畳むことができる。これにより、収納スペースを減少することができる。
【００１７】
すなわち、二つのサイドプレート２０をバックプレート１０に対して第１動作で開閉させ、受け板２１を二つのサイドプレート２０に対して第２動作で回動させて、バックプレート１０の第１定位部１３と受け板２１の第２定位部２４を係合させることより、全体の組立状態が固定されるので、２回の動作だけで組立または収納を迅速に完成することができる。また、本考案の展示棚は収納後の体積が小さいので、携帯が極めて便利である。また、隣接する小板１１が階段状に配置されていることにより、第２定位部２４と第１定位部１３を係合すると、受け板２１が下方の小板１１上端部に載ることにより支持され、受け板２１の載置可能な重量が増加する。
【００１８】
このように、本考案は、特定の例を参照して説明したが、これらの例は、説明のためだけのものであり、本考案を限定するものではなく、この分野に通常の知識を有する者には、本考案の趣旨および範囲を逸脱することなく、ここで開示された実施例に変更、追加、または、削除を施してもよい。
【産業上の利用可能性】
【００１９】
本考案は、展示棚に適用することができる。
【符号の説明】
【００２０】
１０  バックプレート
１１  小板
１２  接合部
１３  第１定位部
２０  サイドプレート
２１  受け板
２２  連結部
２３  受け部
２４  第２定位部
２５  押付部
３０  表面板
３１  固定部
４０  仕切板
【図１】
0003156851.tif 000003
【図２】
0003156851.tif 000004
【図３】
0003156851.tif 000005